【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
電子デバイスのための保護ケースであって、
前記電子デバイスの一部に形状が一致し且つこれに係合するカバーであって、当該カバーは、背部と、前記背部へ接続される側壁とを有しており、当該カバーは、予め決められた部位に配置される複数の受入れ開口によって画定される相互接続された支持部材を備えており、当該カバーは予め決められた厚さを有する、カバーと、
第１の窪んだ衝突域に隣接して配置される隆起した衝突域を備えたクッションインサートであって、前記隆起した衝突域は、前記複数の受入れ開口に対応する予め決められた部位に配置され、且つ前記カバーの厚さより大きい予め決められた厚さを有してなる、クッションインサートと、
を備え、
前記保護ケースが前記電子デバイス上へ組み立てられるとき、前記複数の相互接続された支持部材は前記第１の窪んだ衝突域と係合し、その結果、前記カバーは前記クッションインサートを前記電子デバイスに一致させ、前記隆起した衝突域は、前記複数の受入れ開口と係合して、前記隆起した衝突域は、前記カバーの外面よりも上に出る、
ことを特徴とする保護ケース。
【請求項２】
１つまたは複数の第２の窪んだ衝突域を更に備え、
前記第２の窪んだ衝突域の厚さは、前記第１の窪んだ衝突域の厚さよりも少ない、
ことを特徴とする請求項１に記載の保護ケース。
【請求項３】
前記隆起した衝突域は、その上面に溝を備え、
前記溝の厚さは、前記隆起した衝突域の厚さより少なく、且つ、前記第１の窪んだ衝突域の厚さよりも大きい、ことを特徴とする請求項２に記載の保護ケース。
【請求項４】
前記クッションインサートは、衝撃吸収材料を含む、請求項１に記載の保護ケース。
【請求項５】
前記クッションインサートは、多層積層材料を含む、請求項１に記載の保護ケース。
【請求項６】
前記衝撃吸収材料は、熱可塑性エラストマ（ＴＰＥ）材料の対向する上下層間に配置されている、請求項４に記載の保護ケース。
【請求項７】
前記多層積層材料は更に、前記衝撃吸収材料と前記ＴＰＥ材料の下層との間に配置される補強層を備える、請求項５に記載の保護ケース。
【請求項８】
前記多層積層材料は更に、前記衝撃吸収材料の反対側で、前記ＴＰＥ材料の下層に隣接して配置されるファブリック層を備える、請求項７に記載の保護ケース。
【請求項９】
前記クッションインサートは、速度依存性材料である、請求項４に記載の保護ケース。
【請求項１０】
前記速度依存性材料は、ポリウレタンフォームである、請求項９に記載の保護ケース。
【請求項１１】
前記隆起した衝突域の予め決められた厚さは、衝撃を吸収するのに及び／又は前記衝撃の打撃が前記電子デバイスへ伝達されることを防止するのに足るものである、
ことを特徴とする請求項１に記載の保護ケース。
【請求項１２】
前記ケースは、約８０ショアＡから約１００ショアＡのデュロメータを有するエラストマ材料を含む、請求項１に記載の保護ケース。
【請求項１３】
前記ケースは、約９５ショアＡのデュロメータを有するエラストマ材料を含む、請求項１に記載の保護ケース。
【請求項１４】
前記エラストマ材料は、熱可塑性ポリウレタンを含む、請求項１２に記載の保護ケース。
【請求項１５】
前記カバーの厚さは、０．１４ｃｍ（０．０５５インチ）〜０．２４ｃｍ（０．０９５インチ）の範囲にある、請求項１に記載の保護ケース。
【請求項１６】
前記第１の窪んだ衝突域の厚さは、０．０６４ｃｍ（０．０２５インチ）〜０．１１ｃｍ（０．０４５インチ）の範囲にある、請求項１に記載の保護ケース。
【請求項１７】
前記第２の窪んだ衝突域の厚さは、０．０２５ｃｍ（０．０１０インチ）〜０．０７６ｃｍ（０．０３０インチ）の範囲にある、請求項２に記載の保護ケース。
【請求項１８】
前記隆起した衝突域は、前記ケースが組み立てられた状態において、前記カバーの外面より上に出ている、請求項１に記載の保護ケース。
【請求項１９】
前記補強層は有孔性である、請求項７に記載の保護ケース。
【請求項２０】
前記補強層は不織布である、請求項７に記載の保護ケース。
【請求項２１】
前記補強層はハイドロ交絡不織布である、請求項７に記載の保護ケース。
【請求項２２】
前記カバーは単体である、請求項１に記載の保護ケース。
【請求項２３】
前記クッションインサートは単体である、請求項１に記載の保護ケース。
【請求項２４】
前記カバーは、前記クッションインサートと共にモールド成形される、請求項１に記載の保護ケース。
【請求項２５】
前記カバーと前記クッションインサートとは接着的に接続されている、請求項１に記載の保護ケース。
【請求項２６】
前記ＴＰＥ層は、前記衝撃吸収材料へ連続的に接着されている、請求項６に記載の保護ケース。
【請求項２７】
前記クッションインサートは、対向する隣接層間に配置され且つこれらに連続的に接着されるクッション材料を含む、請求項５に記載の保護ケース。
【請求項２８】
前記ケースが組み立てられるとき、前記クッションインサートは、前記隆起した衝突域が前記受入れ開口と位置合わせされ、且つ前記第２の窪んだ衝突域が前記ケースの角と位置合わせされるように、前記第２の窪んだ衝突域で折り畳まれて前記カバーに挿入される、ことを特徴とする請求項２に記載の保護ケース。
【請求項２９】
前記ケースが組み立てられるとき、前記隆起した衝突域は、前記受入れ開口内へ、前記受入れ開口を少なくとも部分的に通して受け入れられ、前記隆起した衝突域の一部は、前記カバーの上面より上に出る、ことを特徴とする請求項２８に記載の保護ケース。
【請求項３０】
前記ケースは、約８０ショアＡから約１００ショアＡの範囲のデュロメータを有するエラストマ材料を含み、かつ前記クッションインサートは、０．０８ｇ／ｃｍ３（１立方フィート当たり５ポンド）から０．５６ｇ／ｃｍ３（１立方フィート当たり３５ポンド）の範囲の密度を有する速度依存ポリウレタンフォームを含む、請求項１に記載の保護ケース。
【請求項３１】
電子デバイスのための保護ケースであって、
前記電子デバイスの一部に形状が一致し且つこれに係合するカバーであって、当該カバーは、背部と、前記背部へ接続される側壁とを有しており、当該カバーは、予め決められた部位に配置される複数の受入れ開口によって画定される相互接続された支持部材を備えており、当該カバーは、約８０ショアＡから約１００ショアＡの範囲のデュロメータを有するエラストマ材料の予め決められた厚さを有してなる、カバーと、
第１の窪んだ衝突域に隣接して配置される隆起した衝突域を備えた多層クッションインサートであって、前記隆起した衝突域は、前記複数の受入れ開口に対応する予め決められた部位に配置され、且つ前記カバーの厚さより大きい予め決められた厚さを有しており、当該クッションインサートは、熱可塑性エラストマ（ＴＰＥ）材料の対向する層間に配置される速度依存性フォームを備える多層連続接着材料と、前記速度依存性フォーム層と前記ＴＰＥ層のうちの一つとの間に配置される補強層とを備えてなる、多層クッションインサートと、
前記第１の窪んだ衝突域の厚さより少ない厚さを有する１つまたは複数の第２の窪んだ衝突域と、
を備え、
前記保護ケースが前記電子デバイス上へ組み立てられるとき、前記複数の相互接続された支持部材は前記第１の窪んだ衝突域と係合し、その結果、前記カバーは前記クッションインサートを前記電子デバイスに一致させ、前記隆起した衝突域は、前記複数の受入れ開口と係合して、前記隆起した衝突域は、前記カバーの外面よりも上に出る、
ことを特徴とする保護ケース。